(57)【要約】【課題】  モータを備えた電動工具において、ブラシアッセンブリの耐久性を向上する上で有効な技術を提供する。【解決手段】  本発明に係る電動工具１００は、ブラシアッセンブリ１４０と、当該ブラシアッセンブリが装着されるブラシホルダベース１４１と、を有するモータ１２１を備えており、モータの通電駆動により動力伝達機構１１１を介して先端工具１０９を駆動させる。ブラシアッセンブリ１４０は、ブラシ１４５と、当該ブラシ１４５を収容するブラシホルダ１４３と、ブラシホルダの外面に重ねて配置されたブラシキャップ１８１とを有する。そしてブラシキャップ１８１は、ブラシホルダ１４３に押圧部材１８７によって押圧される構成とした。【選択図】  図３
2006102825.tif 000002
【特許請求の範囲】
【請求項１】
ブラシアッセンブリと、
前記ブラシアッセンブリが装着されるブラシホルダベースと、を有するモータを備え、
前記モータの通電駆動により動力伝達機構を介して先端工具を駆動させ、これにより先端工具に所定の加工作業を遂行させる電動工具であって、
前記ブラシアッセンブリは、ブラシと、当該ブラシを収容するブラシホルダと、前記ブラシホルダの外面に重ねて配置されたブラシキャップとを有し、前記ブラシキャップは、前記ブラシホルダに押圧部材によって押圧される構成としたことを特徴とする電動工具。
【請求項２】
請求項１に記載の電動工具であって、
前記押圧部材は、前記ブラシキャップを介して前記ブラシホルダを前記ブラシホルダベースに押圧固定する構成としたことを特徴とする電動工具。
【請求項３】
請求項１または２に記載の電動工具であって、
前記ブラシアッセンブリを覆うべく、前記モータを収容するモータハウジングまたは前記ブラシホルダベースに装着されるカバー部材を有し、当該カバー部材に前記押圧部材が一体に形成されていることを特徴とする電動工具。
【請求項４】
請求項３に記載の電動工具であって、
前記ブラシホルダおよびブラシキャップは、当該ブラシキャップに設定された弾発状部を前記カバー部材に設けた押圧部材によって押圧される構成としたことを特徴とする電動工具。
【発明の詳細な説明】
【技術分野】
【０００１】
本発明は、電動工具に関し、詳しくは先端工具を駆動するために備えられるモータのブラシアッセンブリの取付け技術に関する。
【背景技術】
【０００２】
電動モータにおけるブラシアッセンブリの取付け技術が、例えば実公昭５１−４４０８４号公報（特許文献１）に開示されている。なおブラシアッセンブリは、ブラシホルダ、ブラシ、ブラシキャップ（端子）から構成される。上記特許文献１では、筒状のブラシホルダ内にブラシを挿入後、当該ブラシホルダのブラシ挿入口に断面コ字形のブラシキャップを外側から被せて固定するとともに、当該ブラシキャップとブラシ間に介在された押圧バネによって当該ブラシを整流子に向って押圧する構成としている。なおブラシキャップは、ブラシホルダのブラシ挿入口に被せた状態で、係止片を介してブラシホルダに固定される構成である。
【０００３】
電動モータの通電駆動時において、電流は電源からリード線を経てブラシホルダ、ブラシキャップ、ピッグテール（導線）、ブラシを経て電機子（アマチュア）へと供給される。特許文献１に開示された技術では、ブラシキャップをブラシホルダに被せて固定する構成であり、ブラシキャップとブラシホルダ間の接触力が弱いと、ブラシキャップとブラシホルダ間の接触面に間隙が発生して相互の実質的な接触面積が減少し、接触部位が電蝕する可能性がある。特に直流モータを使用した場合、交流整流子モータに比べると、ブラシキャップとブラシホルダ間を流れる電流が大きいためにより電蝕し易く、耐久性の点で問題がある。
【特許文献１】実公昭５１−４４０８４号公報
【発明の開示】
【発明が解決しようとする課題】
【０００４】
本発明は、かかる点に鑑みてなされたものであり、モータを備えた電動工具において、ブラシアッセンブリの耐久性を向上する上で有効な技術を提供することを目的とする。
【課題を解決するための手段】
【０００５】
上記課題を達成するため、各請求項記載の発明が構成される。
請求項１に記載の発明は、ブラシアッセンブリと、当該ブラシアッセンブリが装着されるブラシホルダベースと、を有するモータを備え、当該モータの通電駆動により動力伝達機構を介して先端工具を駆動させ、これにより先端工具に所定の加工作業を遂行させる電動工具が構成される。本発明における「モータ」は、典型的には直流モータがこれに該当するが、直流モータ以外のモータを広く包含する。また電源コードを用いて電源からモータに電流を供給する方式、工具本体に搭載されたバッテリーからモータに電流を供給する充電式のいずれも包含する。また本発明における「電動工具」は、穴開け作業や締付け作業に用いられる作業工具、切断作業や切削作業あるいは研削作業や研磨作業に用いられる作業工具等、モータを駆動源とする電動式の作業工具を広く包含する。
【０００６】
本発明におけるブラシアッセンブリは、ブラシと、当該ブラシを収容するブラシホルダと、ブラシホルダの外面に重ねて配置されたブラシキャップを有する。そしてブラシキャップは、ブラシホルダに押圧部材によって押圧される構成としている。なお「外面に重ねて配置」とは、例えばブラシホルダが矩形の筒体によって構成される場合であれば、ブラシキャップが当該ブラシホルダの外面における１つの平面に重なる態様、互いに交差するあるいは平行する複数の平面に重なる態様のいずれをも好適に包含する。また「押圧部材によるブラシキャップの押圧方向」は、典型的には、ブラシホルダに対するブラシキャップの組付け方向がこれに該当する。
本発明によれば、ブラシホルダにブラシキャップを重ねて配置した上で、当該ブラシキャップをブラシホルダに押圧部材によって押圧する構成のため、ブラシホルダとブラシキャップ間の接触力を高めることが可能となる。このことによって、ブラシホルダとブラシキャップとの接触面積を確保し、通電時の接触面積不足に起因する電蝕を未然に防止し、耐久性を向上できる。すなわち、通電電流の大きいモータに対しても十分な耐久性を確保できる。
【０００７】
（請求項２に記載の発明）
請求項２に記載の発明によれば、請求項１に記載の電動工具における押圧部材は、ブラシキャップを介してブラシホルダをブラシホルダベースに押圧して固定する構成としている。本発明における「ブラシホルダベース」は、典型的にはモータを収容するモータハウジングに固定され、モータの整流子が貫通することを許容するドーナッツ状の円板によって構成されるが、整流子の周囲に分割して配置固定される態様、あるいはモータハウジングのモータ軸方向端面それ自体をブラシホルダベースとして利用する態様を好適に包含する。
本発明によれば、押圧部材によってブラシホルダをブラシホルダベースに押圧して固定する構成のため、ブラシホルダをブラシホルダベースに強固に固定することが可能となり、耐震性の高い固定構造が提供される。
【０００８】
（請求項３に記載の発明）
請求項３に記載の発明によれば、請求項１または２に記載の電動工具において、ブラシアッセンブリを覆うべく、モータを収容するモータハウジングまたはブラシホルダベースに装着されるカバー部材を有し、当該カバー部材に押圧部材が一体に形成された構成とされる。かかる構成によれば、カバー部材をモータハウジングまたはブラシホルダベースに固定する際に、押圧部材を介してブラシキャップをブラシホルダに押圧するとともに、ブラシホルダをブラシホルダベースに押圧して固定することが可能となる。このため、ブラシホルダおよびブラシキャップを、モータハウジングまたはブラシホルダベースに対するカバー部材の固定力（例えば、ネジによる）を利用して強固に固定できる。
またブラシアッセンブリの組付け後において、当該ブラシアッセンブリをブラシホルダベースに押圧部材による押圧力で固定できるため、ブラシホルダに対するブラシキャップの組付け、あるいはブラシホルダベースに対するブラシホルダの組付けについては、これを強固に組付ける必要がなくなり、位置決めできる程度で済むことから、組付け性を向上する上で有効となる。また押圧部材をカバー部材に一体に設ける構成のため、押圧部材を別部材として設ける場合に比べて部品点数が削減され、生産コストの低減を図る上で有効となる。
【０００９】
（請求項４に記載の発明）
請求項４に記載の発明によれば、請求項３に記載の電動工具におけるブラシホルダおよびブラシキャップは、当該ブラシキャップに設定された弾発状部をカバー部材に設けた押圧部材によって押圧される構成としている。かかる構成によれば、整流子の回りに複数配置されるブラシアッセンブリ相互間で、カバー部材による押圧方向に関する寸法につき製作上のバラツキ（誤差）が存在しても、当該誤差を弾発状部の弾発によって吸収することが可能となり、誤差に起因するガタツキを発生させることなく、安定した状態で固定できる。また本発明ではブラシキャップに弾発状部を設けてあるため、別部材として設けた弾発部材を介在する構成に比べて部品点数が削減され、生産コストの低減を図る上で有効となる。
【発明の効果】
【００１０】
本発明によれば、モータを備えた電動工具において、ブラシアッセンブリの耐久性を向上する上で有効な技術が提供されることとなった。
【発明を実施するための最良の形態】
【００１１】
以下、本発明の実施形態につき、図１〜図７に基づいて説明する。本実施の形態は、電動工具の一例として電動式（充電式）のインパクトドライバを用いて説明する。図１は本実施の形態に係るインパクトドライバ１００の全体構成を概略的に示す一部切断側面図である。図１に示すように、本実施の形態に係るインパクトドライバ１００は、概括的に見て、インパクトドライバ１００の外郭を形成する本体部１０１、当該本体部１０１の先端領域に着脱自在に取付けられて各種ネジのネジ締め作業を行うドライバビット１０９を主体として構成される。なおドライバビット１０９は、本発明における「先端工具」に対応する。
【００１２】
本体部１０１は、モータハウジング１０３、ギアハウジング１０５およびハンドグリップ１０７から構成されている。モータハウジング１０３内には、駆動モータ１２１が収容されている。駆動モータ１２１は本発明における「モータ」に対応する。ハンドグリップ１０７には、駆動モータ１２１の電源スイッチ（図示省略）を投入操作するトリガ１２５が設けられている。ギアハウジング１０３内には、駆動モータ１２１の出力軸１２２の回転を適宜減速するための遊星ギア装置によって構成される減速機構１１１、当該減速機構１１１によって回転駆動されるスピンドル１１２、当該スピンドル１１２からボール１１３を伝達部材として回転駆動されるハンマー１１４、およびハンマー１１４によって回転駆動されるアンビル１１５が配置されている。ハンマー１１４はスピンドル１１２の長軸方向に相対的に移動可能とされ、圧縮コイルスプリング１１６によってアンビル１１５側に向けて付勢されている。なおアンビル１１５の先端は、ギアハウジング１０５の先端から突出しており、この突出された先端部にドライバビット１０９が着脱自在に取り付けられる。上記の減速機構１１１、スピンドル１１２、ボール１１３、ハンマー１１４、アンビル１１５等によって本発明における「動力伝達機構」が構成される。
【００１３】
上記のように構成されたインパクトドライバ１００において、ネジ締め作業のために駆動モータ１２１が通電駆動されると、ドライバビット１０９による締付トルクが軽負荷状態では、スピンドル１１２とハンマー１１４は一体に回転する。この軽負荷状態では、ハンマー１１４はアンビル１１５に圧縮コイルスプリング１１６による付勢力で係合した状態を保持される。このため、アンビル１１５もハンマー１１４と一体となって回転し、ドライバビット１０９によるネジ締め作業が遂行される。
【００１４】
一方、締付トルクが大きくなり、所定の高負荷状態となったときは、ハンマー１１４が圧縮コイルスプリング１１６に抗してアンビル１１５から離れる方向へと後退動作したのち、圧縮コイルスプリング１１６の付勢力によって衝撃的な回転トルクを伴いつつアンビル１１５に係合し、当該アンビル１１５を経てドライバビット１０９に大きな締付トルクを発生させる。なおインパクトドライバ１００の作動原理自体は、周知の技術事項に属するため、その詳細な構成作用の説明は、便宜上省略する。
【００１５】
次に駆動モータ１２１につき説明する。本実施の形態における駆動モータ１２１は、バッテリー１２７を駆動電源とする４極の直流モータであり、以下、駆動モータ１２１の概略構成につき、主に図２を参照して説明する。なお図３〜図６は、ブラシアッセンブリの取付け構造に関する構成を説明する図であり、また図７はブラシアッセンブリの取付け構造に関する模式図である。駆動モータ１２１は、出力軸１２２、出力軸１２２と一体に回転する冷却ファン１５１、出力軸１２２と一体に回転する電機子１３３、モータハウジング１０３に固定される固定子１３５、出力軸１２２の一端側（減速機構１１１の反対側）に設けられた整流子１３７、整流子１３７の周囲に配置された複数個、例えば４個のブラシアッセンブリ１４０、当該ブラシアッセンブリ１４０の取付台を構成する略円盤形状のブラシホルダベース１４１を主体として構成されている。なおブラシアッセンブリ１４０は、整流子１３７の外周面に摺接して電流を供給するブラシ１４５（図５〜図７参照）、ブラシ１４５を収容するブラシホルダ１４３、当該ブラシホルダ１４３に取付けられるブラシキャップ１８１（図３〜図７参照）からなり、それらは全て導電材によって形成されている。
【００１６】
出力軸１２２は一端（後端）がモータハウジング１０３に軸受１２３を介して回転自在に支持され、他端側（減速機構側）がギアハウジング１０５に軸受１２４を介して回転自在に支持されている。冷却ファン１５１は、遠心ファンであり、電機子１３３と整流子１３７の間に配置されており、電機子１３３側および整流子１３７側から空気を導入し、これを放射状に流出させることによって、整流子１３７、ブラシ１４５、電機子１３３およびそれらの周辺部を冷却する構成とされる。そして冷却後の風はモータハウジング１０３に設けた風窓（図示省略）から外部へ放出される。なお、電機子１３３には、コイルが配設されている。また出力軸１２２、電機子１３３、整流子１３７によって回転子が構成されている。
【００１７】
上記のように構成された駆動モータ１２１に電源が投入されると、電機子１３３に配設されたコイルに電流が流れ、電機子１３３および出力軸１２２が一体となって回転駆動される。この際、整流子１３７およびブラシアッセンブリ１４０は、電機子１３３および出力軸１２２が所定の方向に連続的に回転するように、電機子１３３のコイルに流す電流の方向を適宜切り替えている。なお、直流モータの作動原理自体は周知の技術事項に属するため、その詳細な作用の説明は便宜上省略する。
【００１８】
ブラシホルダベース１４１は、図２に示すように、中央部に整流子１３７が貫通可能な円形の貫通孔１４２を有する絶縁材料製の円板からなり、モータハウジング１０３の内壁面にネジ等の固定手段によって止着されている。ブラシホルダベース１４１の後面（冷却ファン１５１と反対面）には、貫通孔１４２を取り囲むようにして４個のブラシホルダ１４３が互いに９０度の間隔を置いて配置され、それらの各ブラシホルダ１４３にはそれぞれブラシ１４５が摺動自在に収容されている。ブラシ１４５は、トーションスプリング１４７（図３〜図６参照）によって整流子１３７の外周面に径方向から概ね直角状に押付けられるように付勢される。このトーションスプリング１４７は、ブラシ付勢バネを構成する。
【００１９】
トーションスプリング１４７は、図３に示すように、ブラシホルダベース１４１に固定されたバネ支持部材１４４によって巻線部を支持された状態で、一方のアーム部１４７ａがブラシホルダベース１４１に固定され、他方のアーム部１４７ｂがブラシ１４５の背面に係合（当接）されており、常時に当該ブラシ１４５の先端面を整流子１３７の外周面に押付けるべく付勢する構成とされる。すなわち、ブラシ１４５の背面に係合するアーム部１４７ｂは、ブラシ１４５を整流子１３７側に向って加圧するべく弾発力を作用する構成とされており、ブラシホルダ１４３に設けられたスリット１４３ａを通して当該ブラシホルダ１４３内に差し込まれ、ブラシ１４５の摩耗に伴い当該スリット１４３ａに沿って整流子１３７側へと移動する。
なお４個のブラシ１４５は、２つで対をなすように、バッテリー１２７のプラス側（陽極）とマイナス（陰極）側に接続されている。
【００２０】
次にブラシアッセンブリ１４０の取付け構造につき図３〜図７を参照して説明する。ブラシアッセンブリ１４０におけるブラシホルダ１４３は、矩形の筒形に形成されるとともに、軸方向（筒孔の貫通方向）が駆動モータ１２１の軸線方向と交差（直交）する方向となるようにブラシホルダベース１４１の後面に適宜手段を介して装着される。なおブラシホルダベース１４１に対するブラシホルダ１４３の装着は、便宜上、図示はしないが、例えばブラシホルダベース１４１のホルダ装着部に設けた切欠部に係止爪を介して周方向および径方向の移動が規制された状態で取付けられる。
【００２１】
ブラシキャップ１８１は、図６に詳細に示すように、略矩形の平面部１８１ａと、当該平面部１８１ａの２辺から概ね直角に折り曲げられて互いに対向状に延在する脚片部１８１ｂとを有する略コ字形に形成されており、当該両脚片部１８１ｂにはそれぞれ対向面側（内側）に向って湾曲状に突出する膨出部１８１ｃが形成されている。そしてブラシキャップ１８１は、ブラシホルダ１４３の後方（図２の左方および図６の上方）から前方へ向って両脚片部１８１ｂを弾性変形させつつ当該ブラシホルダ１４３の外面に被せるようにして装着される。この装着状態ではブラシキャップ１８１の平面部１８１ａがブラシホルダ１４３の後面に重なり合うように当接されるとともに、ブラシキャップ１８１における対向する脚片部１８１ａの膨出部１８１ｃがブラシホルダ１４３の側面に形成された開口１４３ｃに嵌り込み、これによってブラシキャップ１８１は、駆動モータ１２１の径方向（ブラシ１４５の摺動方向）への移動が規制された状態に取付けられる。すなわち、ブラシキャップ１８１のブラシホルダ１４３に対する正確な位置決めが可能となる。
【００２２】
またブラシキャップ１８１には、平面部１８１ａの他辺から脚片部１８１ｂとは反対側に延在する端子部１８１ｄが設けられ、この端子部１８１ｄとブラシホルダ１４３内に収容されたブラシ１４５が、ピッグテールと呼ばれる導線１８３を介して接続される。またブラシホルダ１４３は、便宜上、図示を省略するが、電源側とリード線によって接続されている。このため、駆動モータ１２１を通電駆動するべくトリガ１２５によって電源スイッチが投入操作されると、電機子１３３を駆動するための駆動電流は、ブラシホルダ１４３から当該ブラシホルダ１４３に被せられたブラシキャップ１８１、導線１８３、ブラシ１４５の経路で、あるいはその逆順の経路で通電される。
【００２３】
モータハウジング１０３には、カバー部材１８５がネジ等の適宜止着手段（便宜上、図示省略）を介して装着され（図２参照）、このカバー部材１８５によって上記のブラシアッセンブリ１４０および整流子１３７が覆われる。カバー部材１８５は絶縁材料製であって略筒状に形成されており、ブラシホルダベース１４１の後方から当該ブラシホルダベース１４１に向って移動させることによってモータハウジング１０３に装着する構成とされ、その装着方向と前述したブラシホルダ１４３に対するブラシキャップ１８１の装着（被せる）方向が同方向とされる。
【００２４】
カバー部材１８５の内面における各ブラシアッセンブリ１４０の後面と対向する部位、すなわち各ブラシキャップ１８１の平面部１８１ａと対向する部位には、それぞれ当該平面部１８１ａに向って前方に突出するボス部１８７が一体に設けられている。ボス部１８７は、突出端面が平坦面をなす円柱形状に形成されている。そして当該カバー部材１８５をモータハウジング１０３に装着する際、ボス部１８７がブラシアッセンブリ１４０におけるブラシキャップ１８１の平面部１８１ａを押圧し、更にはブラシキャップ１８１を介してブラシホルダ１４３をブラシホルダベース１４１の後面に設定されたホルダ装着部に押圧する構成とされる。上記のボス部１８７は、本発明における「押圧部材」に対応する。またブラシキャップ１８１の平面部１８１ａには、当該平面部１８１ａから後方に湾曲状に突出する板バネ部１８１ｅが一体に設けられ、この板バネ部１８１ｅをボス部１８７が押圧する構成とされており、これによってブラシキャップ１８１およびブラシホルダ１４３に弾発状の押圧力が作用する。この板バネ部１８１ｅは、本発明における「弾発状部」に対応する。なおボス部１８７によるブラシキャップ１８１の押圧力は、当該ボス部１８７の突出長さ、あるいは板バネ部１８１ｅの弾発強さ等を変えることで適宜に調整可能である。
【００２５】
本実施の形態に係るインパクトドライバ１００は、上記のように構成したものであり、トリガ１２５を引き操作して電源スイッチを投入すると、駆動モータ１２１が通電駆動され、前述したように、減速機構１１１、スピンドル１１２、ハンマー１１４、アンビル１１５を介してドライバビット１０９が回転駆動され、ネジ締め作業が遂行される。
【００２６】
本実施の形態では、ブラシホルダ１４３にブラシキャップ１８１を後方から被せるように重ねて配置した後、カバー部材１８５に設けたボス部１８７によってブラシキャップ１８１の平面部１８１ａをブラシホルダ１４３の後面に所定の押圧力で押付ける構成としている。このことによりブラシキャップ１８１の平面部１８１ａとブラシホルダ１４３の後面との接触力が高められ、その結果、ブラシホルダ１４３とブラシキャップ１８１とを広い接触面積で接触させることが可能となる。本実施の形態によれば、主としてブラシキャップ１８１の平面部１８１ａとブラシホルダ１４３の後面との間に広い接触面積が確保されるほか、ブラシキャップ１８１の脚片部１８１ｂとブラシホルダ１４３の側面との間に接触面が確保されることになる。
【００２７】
前述したように、駆動モータ１２１の通電駆動時において、駆動電流はブラシホルダ１４３とブラシキャップ１８１間を流れる構成のため、例えば当該ブラシホルダ１４３とブラシキャップ１８１間の接触力が弱いことに原因して、ブラシキャップ１８１とブラシホルダ１４３間の接触すべき面間に間隙が発生して互いの実質的な接触面積が減少した場合には、両者間の通電面積が不足して接触部位が電蝕する可能性がある。しかるに、本実施の形態によれば、ボス部１８７による押圧力によってブラシキャップ１８１とブラシホルダ１４３間に広い接触面積を確保することが可能なことから、通電時の接触面積不足に起因する電蝕を未然に回避し、ブラシキャップ１８１あるいはブラシホルダ１４３の耐久性を向上できる。したがって、本実施の形態に係るブラシアッセンブリ１４０は、通電電流の大きい直流モータに適用しても十分な耐久性を確保できる。
【００２８】
また本実施の形態では、カバー部材１８５に設けたボス部１８７によってブラシキャップ１８１を介してブラシホルダ１４３をブラシホルダベース１４１に押圧して固定する構成のため、当該ブラシホルダ１４３をブラシホルダベース１４１に強固に固定することが可能となる。これによって、耐震性の高い固定構造が提供されることとなり、インパクトドライバ１００のように、駆動時に振動を伴うような電動工具に適用して好適となる。またカバー部材１８５のボス部１８７によるブラシアッセンブリ１４０のブラシホルダベース１４１に対する押圧固定は、いわば組付け作業の最終段階で行われる作業である。このため、それに先行して行われる、ブラシホルダベース１４１に対するブラシホルダ１４３の組付けおよび当該ブラシホルダ１４３に対するブラシキャップ１８１の組付けについては、位置決めできる程度で済み、それ自体を強固に組付ける必要がなくなるため、組付け性を向上する上で有効となる。また押圧部材としてのボス部１８７をカバー部材１８５に一体に設ける構成のため、例えば押圧部材を別部材として設ける場合に比べて部品点数を削減することが可能となり、生産コストの低減を図る上で有効となる。
【００２９】
また本実施の形態によれば、ブラシホルダ１４３およびブラシキャップ１８１は、当該ブラシキャップ１８１に設定された板バネ部１８１ｅをボス部１８７によって押圧する構成としている。このため、整流子１３７の回りに配置される複数のブラシアッセンブリ１４０相互間で、カバー部材１８５の押圧方向（前後方向）に関する寸法につき製作上のバラツキ（誤差）が存在しても、当該誤差を板バネ部１８１ｅの弾性変形によって吸収することが可能となる。その結果、誤差に起因するガタツキを発生することなく、安定した状態で固定できる。また板バネ部１８１ｅをブラシキャップ１８１に一体に設けてあるため、別途に設けた板バネを介在する構成に比べると、部品点数を削減することが可能となり、生産コストの低減を図る上で有効となる。
【００３０】
なお本実施の形態では、カバー部材１８５をモータハウジング１０３に取付けるとして説明したが、カバー部材１８５をブラシホルダベース１４１に取付ける構成に変更してもよい。また押圧部材としてのボス部１８７は、カバー部材１８５に設けたが、カバー部材１８５以外の部材、例えばブラシホルダベース１４１に押圧部材を設けてもよい。また板バネ部１８１ｅはブラシキャップ１８１に一体に設けたがこれを省略する構成、あるいは別部材として設ける構成、あるいはブラシホルダ１４３に設ける構成等に変更してもよい。またブラシキャップ１８１の形状についても図示の形状に限定するものではない。
【００３１】
また本実施の形態は、電動工具の一例としてネジ締め作業に用いられるインパクトドライバ１００の場合で説明したが、これに限られるものではなく、切断作業、切削作業、研削・研磨作業、ハツリ作業、あるいは穴開け作業に用いられる各種の電動工具に適用することが可能である。要するに、駆動モータ１２１を備えた作業工具であれば適用できる。また本実施の形態では、駆動モータ１２１の一例として直流モータの場合で説明しているが、交流整流子モータ等、他のモータに適用してもよい。
【００３２】
上記発明の趣旨に鑑み、以下の態様を構成することが可能とされる。
（態様１）
「請求項１〜４のいずれかに記載の電動工具であって、
前記ブラシホルダは、断面矩形の筒状に形成されるとともに互いに対向する側面部にそれぞれ開口を有し、前記ブラシキャップは、互いに対向する脚片部を有するとともに当該脚片部には対向面側に突出する膨出部が設けられており、前記ブラシキャップを前記ブラシホルダに外側から被せたときに、前記脚片部の膨出部が前記側面部の開口に係合し、これによって前記ブラシキャップが当該ブラシホルダに組み付けられる構成としたことを特徴とする電動工具。」
【００３３】
態様１に記載の発明によれば、請求項１〜４のいずれかに記載の電動工具におけるブラシホルダは、断面矩形の筒状に形成されるとともに互いに対向する側面部にそれぞれ開口を有する構成とされ、またブラシキャップは、互いに対向する脚片部を有するとともに当該脚片部には対向面側に突出する膨出部が設けられた構成とされる。そしてブラシキャップをブラシホルダの外側に被せたときに、脚片部の膨出部が側面部の開口に係合することによってブラシキャップが当該ブラシホルダに組み付けられる構成とした。かかる構成によれば、ブラシキャップをブラシホルダに対して正確に位置決めすることが可能となる。
【図面の簡単な説明】
【００３４】
【図１】本発明の実施形態に係るインパクトドライバの全体構成を示す一部切断側面図である。
【図２】実施の形態に係る駆動モータを示す断面図である。
【図３】ブラシアッセンブリの取付け構成を示す斜視図である。
【図４】図３のＡ部拡大図である。
【図５】ブラシアッセンブリの取付け構成を示す斜視図であり、分解状態を示す。
【図６】図５のＢ部拡大図である。
【図７】ブラシアッセンブリの取付け構成を説明する模式図である。
【符号の説明】
【００３５】
１００  インパクトドライバ（電動工具）
１０１  本体部
１０３  モータハウジング
１０５  ギアハウジング
１０７  ハンドグリップ
１０９  ドライバビット（先端工具）
１１１  減速機構（伝達機構）
１１２  スピンドル（伝達機構）
１１３  ボール（伝達機構）
１１４  ハンマー（伝達機構）
１１５  アンビル（伝達機構）
１１６  圧縮コイルスプリング
１２１  駆動モータ（モータ）
１２２  出力軸
１２３  軸受
１２４  軸受
１２５  トリガ
１２７  バッテリー
１３３  電機子
１３５  固定子
１３７  整流子
１４０  ブラシアッセンブリ
１４１  ブラシホルダベース
１４２  貫通孔
１４３  ブラシホルダ
１４３ａ  スリット
１４３ｃ  開口
１４４  バネ支持部材
１４５  ブラシ
１４７  トーションスプリング
１４７ａ  一方のアーム部
１４７ｂ  他方のアーム部
１５１  冷却ファン
１８１  ブラシキャップ
１８１ａ  平面部
１８１ｂ  脚片部
１８１ｃ  膨出部
１８１ｄ  端子部
１８１ｅ  板バネ部
１８３  導線
１８５  カバー部材
１８７  ボス部（押圧部材）
【図１】
2006102825.tif 000003
【図２】
2006102825.tif 000004
【図３】
2006102825.tif 000005
【図４】
2006102825.tif 000006
【図５】
2006102825.tif 000007
【図６】
2006102825.tif 000008
【図７】
2006102825.tif 000009